(57)【要約】      （修正有）【課題】騒音の低減を図り、最小限の駆動装置により開閉する機構を採用し、部品点数の低減と動作の簡潔化を図れるスノープラウカバー開閉装置を提供する。【解決手段】各主カバー２の上端縁部をスノープラウ各上面５１ｂ外縁部に沿ってヒンジ部材４を介して展開可能に取り付け、エアシリンダ装置５を前向きのピストンロッド５ａが前後方向に進退するように設置し、スノープラウの各上面の前端部上に「く」の字状リンクアーム１２の屈折部をそれぞれ水平回転可能に軸支し、ピストンロッド５ａの前端部に各リンクアーム１２の一端を枢支連結するとともに、スノープラウ５１の長手方向のほぼ中間位置で直交する方向にそれぞれスライドブラケット７をスライド可能に配設し、各スライドブラケット７の先端を進退により各主カバー２が上下方向に展開するように各主カバー２に連結し、各リンクアーム１２の他端を各スライドブラケット７に枢支連結した。【選択図】図４
2008239118.tif 000002
【特許請求の範囲】
【請求項１】
先頭車両の車体底部前端寄りに支持装置を介して固設された略Ｖ字形スノープラウの両側面を覆う一対の開閉式カバーを備え、
前記各カバーは前記スノープラウの各側面と平行に延びた略板状体から形成し、同各カバーの上端縁部を前記スノープラウの各上面外縁部に沿って複数のヒンジ部材を介して下向き閉鎖状態と横向き開放状態との間で展開可能に取り付け、
前記支持装置上の車両幅方向中央部に、シリンダ装置を前向きのピストンロッドが前後方向に進退するように設置し、前記スノープラウの各上面又は上面上に固設された支持板材の前端部上に、「く」の字状リンクアームの屈折部をそれぞれ水平回転可能に軸支し、前記ピストンロッドの前端部に前記各リンクアームの一端を枢支連結するとともに、
前記スノープラウの各側辺の長手方向のほぼ中間位置で前記スノープラウの各側面に対し直交する方向にそれぞれスライドブラケットをスライド可能に配設し、各スライドブラケットの先端を連結部材を介してスライドブラケットの進退により前記各カバーが上下方向に展開するように各カバーに連結し、
前記各リンクアームの他端を前記各スライドブラケットに枢支連結したことを特徴とするスノープラウカバー開閉装置。
【請求項２】
前記各開閉式カバーとは別に一対の補助カバーを、前記スノープラウの各上面の後端部にヒンジ部材を介して前記各カバーの後端部上側に一部を重ね合わせ下向き閉鎖状態と前記スノープラウの各側面をほぼ水平に覆う開放状態との間で展開可能に取り付け、
前記各補助カバーを展開させるシリンダ装置の基端部を、それぞれ車体台枠から垂設した支持部材に上下方向に回転可能に連結し、そのピストンロッド先端部を側方上向きに傾斜させ、前記各補助カバー内面の上下方向のほぼ中間位置に枢支連結することを特徴とする請求項１記載のスノープラウカバー開閉装置。
【請求項３】
前記各スライドブラケットの一側面に一対のロックピン受けを前後に間隔をあけて一体的に進退可能に設け、前記ロックピン受けに対し前記開閉式カバーの閉鎖状態と開放状態とでそれぞれ選択的に挿入可能なロックピンを先端に備えたロック用シリンダ装置を、相対向して前記スノープラウ上面又は上面に固設した支持板材上に設けたことを特徴とする請求項１又は２記載のスノープラウカバー開閉装置。
【発明の詳細な説明】
【技術分野】
【０００１】
東北地方などの寒冷地を走行する新幹線などの高速鉄道車両において先頭車両の車体底部前端寄りに設けられる排雪用スノープラウの両側面を排雪時を除いてカバーで覆うとともに、排雪時にはカバーを開放してスノープラウの両側面を露呈させられるスノープラウカバー開閉装置に関する。
【背景技術】
【０００２】
例えば寒冷地を走行する新幹線には、先頭車両の連結器後方で車体台枠の下方であって排障装置の前側に、鋼やアルミ合金やＦＲＰなどで形成される排雪機能を有するスノープラウが取り付けられている。しかし、高速走行する鉄道車両では、スノープラウが露呈した状態では、走行時に騒音が発生したり、走行時の空気抵抗(走行抵抗）が増大したりし
、また外観上も体裁が悪いものである。
【０００３】
そこで、車体のスノープラウを覆う部分を、側構体と分離した可動式カバーとして構成し、この可動式カバーはリンク部材を介して側構体に対し昇降可能に連結し、アクチュエータの作動によって、スノープラウを覆う下降位置と、スノープラウが露出する上昇位置とのいずれか一方の位置を選択的に採るように構成したスノープラウカバー開閉装置が提案されている（例えば、特許文献１参照）。
【特許文献１】特開２００５−２１２７４０号公報（段落００１２〜００１５、００１７〜００１９、００３６および図３）
【発明の開示】
【発明が解決しようとする課題】
【０００４】
しかしながら、上記特許文献１に記載のスノープラウカバー開閉装置では、スノープラウを覆うカバーが側構体とは分離された可動式カバーであるが、側構体に対しリンク部材を介して昇降可能に連結されていることと、アクチュエータによってスノープラウを覆う下降位置とスノープラウを露出させる上昇位置とのいずれか一方の位置を選択的に採るように構成されていることしか説明されておらず、具体的な構造は一切開示されていないから、実施するのは困難である。
【０００５】
また、スノープラウ周辺にスノープラウカバーを上下方向や車両の外殻内方へスライドさせて収納するスペースがあれば、スライド方式にすることが可能であるが、この方式は機構が複雑で取付スペースが大きくスペースに余裕がない場合には採用できない。
【０００６】
本発明は上述の点に鑑みなされたもので、1)騒音原因になるスノープラウ両側面の凹凸の大きい箇所を覆って騒音の低減を図ること、2)最小限の駆動装置によりカバーを開閉する機構を採用し、部品点数の低減と動作の簡潔化を図ること、3)開閉式カバーやその駆動装置をスノープラウおよびその支持装置に一体的に組み込み省スペース化を図り、取付作業および車体との寸法調整作業などの簡略化を図ること、4)スノープラウを覆ったり露出させたりするカバーの構造やカバーを開閉させる駆動装置の構造などを具体化して実施することが可能な、スノープラウカバー開閉装置を提供しようとするものである。
【課題を解決するための手段】
【０００７】
上記の目的を達成するために本発明にかかるスノープラウカバー開閉装置は、先頭車両の車体底部前端寄りに支持装置を介して固設された略Ｖ字形スノープラウの両側面を覆う一対の開閉式カバーを備え、前記各カバーは前記スノープラウの各側面と平行に延びた略板状体から形成し、同各カバーの上端縁部を前記スノープラウの各上面外縁部に沿って複
数のヒンジ部材を介して下向き閉鎖状態と横向き開放状態との間で展開可能に取り付け、前記支持装置上の車両幅方向中央部に、シリンダ装置を前向きのピストンロッドが前後方向に進退するように設置し、前記スノープラウの各上面又は上面上に固設された支持板材の前端部上に、「く」の字状リンクアームの屈折部をそれぞれ水平回転可能に軸支し、前記ピストンロッドの前端部に前記各リンクアームの一端を枢支連結するとともに、前記スノープラウの各側辺の長手方向のほぼ中間位置で前記スノープラウの各側面に対し直交する方向にそれぞれスライドブラケットをスライド可能に配設し、各スライドブラケットの先端を連結部材を介してスライドブラケットの進退により前記各カバーが上下方向に展開するように各カバーに連結し、前記各リンクアームの他端を前記各スライドブラケットに枢支連結したことを特徴とする。
【０００８】
上記の構成を有するスノープラウカバー開閉装置によれば、スノープラウの両側面を覆うカバーをヒンジ部材でスノープラウの各側面に開閉可能に取り付け、支持装置上に設けたシリンダ装置で両側のカバーを一斉に開閉するので、部品点数が少なく、最小限（一台）のシリンダ装置で済み、構造が簡略化される。
【０００９】
またスノープラウの開放状態(露出時）において両側の各カバーは、スノープラウの両
側外方にほぼ水平に保持されるので、スノープラウ周辺にカバーを収納するスペースが不要で省スペース化が図れる。さらに両側の各カバー、ヒンジ部材を始めとしカバーの開閉駆動用のシリンダ装置および関連部品であるリンクアーム、スライドブラケットなど全構成部材がスノープラウ(その支持装置を含む）に設けられるので、車体や側構体（車両外
殻）との寸法調整が不要で、車体とは別個の取付作業や調整作業を行え、作業の簡略化が図れる。
【００１０】
請求項２に記載のように、前記各開閉式カバーとは別に一対の補助カバーを、前記スノープラウの各上面の後端部にヒンジ部材を介して前記各カバーの後端部上側に一部を重ね合わせ下向き閉鎖状態と前記スノープラウの各側面をほぼ水平に覆う開放状態との間で展開可能に取り付け、前記各補助カバーを展開させるシリンダ装置の基端部を、それぞれ車体台枠から垂設した支持部材に上下方向に回転可能に連結し、そのピストンロッド先端部を側方上向きに傾斜させ、前記各補助カバー内面の上下方向のほぼ中間位置に枢支連結することを特徴とする。
【００１１】
断面略Ｌ形の一対の補助カバーを、前記スノープラウの各側辺上面の後端部にヒンジ部材を介して前記各開閉式カバーの後端部上側に一部を重ね合わせ下向き閉鎖状態と前記スノープラウの各側辺上面をほぼ水平に覆う開放状態との間で展開可能に取り付け、前記各補助カバーを展開させるシリンダ装置基端部を、それぞれ車体台枠から垂設した支持部材に上下方向に回転可能に連結し、そのピストンロッド先端部を側方上向きに傾斜させ、前記各補助カバー内側の上下方向のほぼ中間位置に枢支連結することができる。
【００１２】
このように構成すれば、スノープラウの両側辺が直線状でなく、例えば上方より見て一部で湾曲している場合に、その湾曲箇所を含めてカバーすることが可能になる。
【００１３】
請求項３に記載のように、前記各スライドブラケットの一側面に一対のロックピン受けを前後に間隔をあけて一体的に進退可能に設け、前記ロックピン受けに対し前記開閉式カバーの閉鎖状態と開放状態とでそれぞれ選択的に挿入可能なロックピンを先端に備えたロック用シリンダ装置を、相対向して前記スノープラウ上面又は上面に固設した支持板材上に設けることが好ましい。
【００１４】
このように構成すれば、前記両側の開閉式カバーを閉鎖状態と開放状態とのいずれの場合にもロック用シリンダ装置によりロックピンをロックピン受けに挿入し、確実に固定す
ることができるので、カバーが不用意に閉じたり開いたりすることがない。
【発明の効果】
【００１５】
本発明にかかるスノープラウカバー開閉装置は上記の構成からなるから、次のような優れた効果がある。
【００１６】
すなわち、スノープラウが不要な非排雪時である通常走行時には、高速走行により発生する騒音を低減するとともに、走行抵抗を低減することが可能になる。また、カバー開閉装置を構成する全ての部材をスノープラウ(その支持装置を含む）上に設置することがで
きるので、車体やその外殻としての側構体などとの寸法調整が不要で、取付作業や寸法調整などの作業の簡略化が図れ、また装置全体の省スペース化が図れる。さらに、スノウプラウカバーをスノープラウ上にヒンジ部材で開閉可能に支持し、最小限(一台)のシリンダ装置により開閉する機構を採用したので、部品点数の削減と動作の簡潔化が図られ、またカバーの開放状態でスノープラウの両側辺外方へほぼ水平に展開した姿勢を採るようにしているので、車体（側構体）内にカバーを収納して開放する方式に比べて占有スペースが少なくて済み、とくにスノープラウ周辺のスペースに余裕がない場合でも、適用できる。
【発明を実施するための最良の形態】
【００１７】
以下、本発明にかかるスノープラウカバー開閉装置について実施の形態を図面に基づいて説明する。
【００１８】
図１は本発明の実施例にかかるスノープラウカバー開閉装置を備えた先頭車両の先端部分を示す側面図、図２・図３は本実施例のスノープラウカバー開閉装置を示す斜視図で、図２はカバーの閉鎖状態を表し、図３はカバーの開放状態を表す。図４は本実施例にかかるスノープラウカバー開閉装置を示す平面図で、右半分を省略している。図５（ａ）は図４のＡ−Ａ断面図、（ｂ）は図４のＢ−Ｂ断面図、（ｃ）は図４のＣ−Ｃ断面図、（ｄ）は図４のＤ−Ｄ断面図、図６（ｅ）は図４のＥ−Ｅ断面図、（ｆ）は図４のＦ−Ｆ断面図、（ｇ）は図４のＬ−Ｌ断面図、（ｈ）は図４のＭ−Ｍ断面図である。図７（ａ）は図４のＧ−Ｇ断面図、（ｂ）は図４のＨ−Ｈ断面図、（ｃ）は図４のＪ−Ｊ断面図、（ｄ）は図４のＫ−Ｋ断面図である。図８は本実施例にかかるスノープラウカバー開閉装置の空気圧回路図、図９・図１０はスノープラウカバー開閉装置の制御フロー図で、図９はカバー開放時を表し、図１０はカバー閉鎖時を表している。
【００１９】
図１に示すように、本実施例では、新幹線など高速鉄道車両用の先頭車両１の車体底部前端寄りに、降雪時に排雪し、かつ障害物と衝突した際に車体への損傷を防止するための平面視略Ｖ字形のスノープラウ５１が支持装置５２を介して取り付けられている。支持装置５２は車体台枠１ａから複数の支持部材５３により支持されている。スノープラウカバー開閉装置１０は、図２・図３に示すように左右に主カバー２と補助カバー３とをそれぞれ備えており、主カバー２はスノープラウ５１の両側面５１ａの前方から後部を、補助カバー３はスノープラウ５１の両側面５１ａの後部をそれぞれ開閉可能に覆う構成とされている。図１中の符号１ｂは車両の外殻、１ｃは合併カバー、５５は車輪、５６はレール（軌道）を示す。
【００２０】
図４〜図７に示すように、各主カバー２はスノープラウ５１の各側面５１ａと平行に延びた略板状体から形成し、主カバー２の上端部が、スノープラウ上面５１ｂの外縁部に沿って複数（６つ）のヒンジ部材４を介して下向き（鉛直方向）閉鎖状態（図２参照）と横向き（水平方向）開放状態（図３参照）との間で上下方向に展開可能に取り付けられている。主カバー２の断面形状は図５（ｃ）（ｄ）・図６（ｆ）（ｇ）（ｈ）に示すように略板状体で、上端部が外側に凸状に湾曲し、長手方向に連続して内側に突出する２つのリブ２ａ・２ｂを備えており、ヒンジ部材４の本体４ａ側がスノープラウ上面５１ｂの長手方
向に沿って一定間隔で取り付けられ、他方のヒンジ部４ｂが主カバー内面２ｂの上端部に取り付けられ、ヒンジピン４ｃを中心に展開するように構成されている。
【００２１】
左右の支持装置５２の連結板５４（図４・図５（ａ）参照）上に、左右の主カバー２を同時に開閉するためのエアシリンダ装置５がピストンロッド５ａを前方に向けて設置されており、ピストンロッド５ａの先端部にＹ字継手５ｂの基端部がピン５ｃで連結されている。また、スノープラウ上面５１ｂの長さ方向のほぼ中間位置で直交する方向にＬＭガイド６が設置され、ＬＭガイド６上にスライドブラケット７がスライド可能に配設されている。スライドブラケット７には連結部材としての連結棒８の基端部がピン８ａで軸着され、主カバー内面２ｂの上端部に取り付けられたヒンジステー９の上端部にピン９ａで連結棒８の先端部が連結されている。この構成により、図６（ｅ）に示すようにスライドブラケット７がＬＭガイド６に沿って後退することで、主カバー２は鉛直姿勢の閉鎖状態から上方へ展開し、水平姿勢の開放状態になる。一方、開放状態からスライドブラケット７が前進すると、元の鉛直姿勢の閉鎖状態に戻る。図４・図５（ｂ）に示すように、スノープラウ上面５１ｂの内縁部上にリンクブラケット１１が取り付けられている。各リンクブラケット１１には、「く」の字形のリンクアーム１２の屈曲部がピン１２ａで水平回転可能に支持され、図５（ａ）のようにピストンロッド５ａ先端のＹ字継手５ｂの左右の各先端にリンクアーム１２の一端がピン１２ｂで連結されている。各リンクアーム１２の他端部は、図６（ｅ）のようにピン１２ｃでスライドブラケット７に連結されている。
【００２２】
このように構成されることにより、エアシリンダ装置５のピストンロッド５ａが伸長されて前進すると、左右のリンクアーム１２がピン１２ａを中心に時計方向（または反時計方向）に回転し、左右のスライドブラケット７が後退して図３に示すように主カバー２が同時に開放される。この開放状態から、エアシリンダ装置５のピストンロッド５ａが収縮されて後退すると、左右のリンクアーム１２がピン１２ａを中心に反時計方向（または時計方向）に回転し、左右のスライドブラケット７が前進して図２に示すように主カバー２が同時に閉鎖される。
【００２３】
図４・図７（ｃ）（ｄ）に示すように、各スライドブラケット７と一体にスライド可能に前後に一対のロックピン受け１３・１４が取り付けられている。そして、図４に示すスライドブラケット７の前進位置、すなわち主カバー２の閉鎖状態で後ろ側に位置するロックピン受け１４に相対向してロック用エアシリンダ装置１５が進退自在にスノープラウ上面５１ｂの内縁部上に設けられている。エアシリンダ装置１５のピストンロッド１５ａ先端にはロックピン１６が一体に装着されており、ピストンロッド１５ａが前進すると、ロックピン１６が一方のロックピン受け１４・１３に挿入され、主カバー２を開放状態又は閉鎖状態にそれぞれ保持する。主カバー２の開放状態又は閉鎖状態を解除するには、ピストンロッド１５ａを後退させて、一方のロックピン受け１４・１３からロックピン１６を抜き出す必要がある。
【００２４】
次に、補助カバー３は、図７（ｂ）に示すように外側に凸状に湾曲した断面形状を有し、スノープラウ上面５１ｂの後端部上に支持板材としてのベース２１を固定し、このベース２１上に複数（４つ）のヒンジ部材２２を介して鉛直姿勢（閉鎖状態）と水平姿勢（開放状態）とで展開自在に取り付けられている。補助カバー３は図７（ａ）のように一部の断面形状は略Ｌ形に大きく湾曲しており、図７（ｂ）のようにヒンジ部材２２のヒンジステー２２ａ側がベース２１上に取り付けられ、他方のヒンジ部２２ｂ側が補助カバー３の内面で上下方向のほぼ中間位置に取り付けられ、ヒンジピン２２ｃを中心に展開するように構成されている。
【００２５】
車体台枠１ａから吊りフレーム２３が垂設され、この吊りフレーム２３の下端部にクレビスブラケット２４を介してエアシリンダ装置２５の基端部が上下方向に回転可能に枢着
されている。エアシリンダ装置２５はピストンロッド２５ａ側を上向きに傾斜させ、図７（ａ）のようにピン２６ｃで回転可能に連結された一方のリンク２６ｂが補助カバー内面３ｂの上下方向中間位置に取り付けられ、他方の「く」の字形リンク２６ａの一端部にピストンロッド２５ａの先端金具２７がピン２７ａで連結されている。この構成により、ピストンロッド２５ａが収縮すると、補助カバー３は鉛直姿勢の閉鎖状態となり、ピストンロッド２５ａが伸長して補助カバー３がヒンジピン２２ｃを中心に展開し、水平姿勢の開放状態になる。
【００２６】
補助カバー３は、主カバー２上に一部重なった状態で開閉される。このため、主カバー２が開放された状態では補助カバー３は主カバー２上に位置し、主カバー２が閉鎖されない限り閉鎖されるおそれがない。一方、主カバー２の閉鎖状態では、補助カバー３は閉鎖状態でも不用意に開放される可能性がある。そこで、エアシリンダ装置２５のピストンロッド２５ａが収縮した状態では、図７（ａ）のようにエアシリンダ装置２５の基端面がクレビスブラケット２４に係合し、一種のロック状態になるように構成されている。
【００２７】
図８に示すように、本実施例では、左右の主カバー２開閉用のエアシリンダ装置５、主カバー２の開放状態と閉鎖状態保持用の一対のロックエアシリンダ装置１５・１５および左右の補助カバー３開閉用の一対のエアシリンダ装置２５の合計５台のエアシリンダ装置が使用されている。５台の各エアシリンダ装置には、伸長時と収縮時とを規制するリミットスイッチＬＳが内蔵されており、５台のエアシリンダ装置５・１５・１５・２５・２５に共通の空気圧源(図示せず)から加圧空気供給管３１が主手動弁３４、副手動弁３５を経由し、電磁弁３７を介して給排気管３１ａ・３１ｂに分けられエアシリンダ装置５の給排気口に接続されている。副手動弁３５の下流側で空気供給管３１が分岐され、分岐された空気供給管３２が電磁弁３８を介して給排気管３２ａ・３２ｂに分けられ一対の補助カバー３開閉用エアシリンダ装置２５・２５の給排気口に接続されている。さらに、空気供給管３１が主手動弁３４の下流側で分岐された空気供給管３３がロック用手動弁３６を経由し、電磁弁３９を介して給排気管３３ａ・３３ｂに分けられ一対のロックエアシリンダ装置１５・１５の給排気口に接続されている。
【００２８】
上記のようにして本実施例にかかるスノープラウカバー開閉装置１０が構成されるが、ここで、主カバー２および補助カバー３の開閉動作について説明する。
【００２９】
図２に示すように、主カバー２と補助カバー３の閉鎖状態では、スノープラウ５１の両側面５１ａのうち上部側の凹凸の大きな箇所が主カバー２と補助カバー３によって覆われている。このとき両カバー２・３はそれぞれ鉛直姿勢になっている。この状態で、エアシリンダ装置５のピストンロッド５ａは引っ込んでおり、収縮状態にある。ＬＭガイド６上でスライドブラケット７が最前位置へ前進しており、主カバー２は複数のヒンジピンを中心に鉛直方向の閉鎖状態になっている。このとき、図４に示すようにロックエアシリンダ装置１５のロックピン１６が後ろ側のロック受け１４に挿入され、主カバー２が浮き上がらないように保持(ロック）されている。また、補助カバー３のエアシリンダ装置２５の
ピストンロッド２５ａは引き込まれ、収縮状態にある。エアシリンダ装置２５の基端面はクレビスブラケット２４に係合し、補助カバー３も浮き上がらないように保持(ロック）
されている。
【００３０】
この閉鎖状態から補助カバー３が開放され、続いて主カバー２が開放されて図３に示す開放状態になる。補助カバー３・主カバー２の開放動作は、図９に示すように、開放指令が出されると、スノープラウカバー５１が開放されているか否かが確認され、ＮＯであると、続いて車速が５ｋｍ／ｈ以下であるか否かが確認され、ＹＥＳであると、補助カバー３の開放が指令されて保持され、１０秒間のタイマーがセットされ、タイムアップか否かが確認される。なお、開放指令がＮＯの場合および車速が５ｋｍ／ｈ以上の場合には、最
初のステップに戻される。タイムアップがＮＯであると、補助カバー３の開放が終了したか否かが確認され、タイマーがリセットされる。補助カバー３の開放指令が解除され、主カバー２のロック解除指令が保持される。１０秒間タイマーがセットされ、タイムアップがＮＯであると、主カバー２のロック解除が終了したか否かが確認され、タイマーがリセットされる。主カバー２のロック解除指令ステップが解除され、１０秒間のタイマーがセットされ、タイムアップか否かが確認される。タイムアップがＮＯであると、主カバー２の開放指令か否かが確認され、ＹＥＳであると、タイマーがリセットされる。主カバー２の開放指令が解除され、主カバー２のロック挿入指令が出され保持される。１０秒間のタイマーがセットされ、タイムアップか否かが確認される。タイムアップがＮＯであると、主カバー２のロックが挿入されたか否かが確認される。ＹＥＳであると、タイマーがリセットされ、主カバー２のロック挿入指令が解除され、開動作完了となる。
【００３１】
一方、スノープラウ５１のカバー２・３の開放状態から閉鎖動作への制御は、図１０に示すように、閉鎖開始ステップに続いて、スノープラウカバー５１を閉鎖するか否かが確認され、ＮＯであると、車速が５ｋｍ／ｈ以下であるか否かが確認され、ＹＥＳであると、主カバー２のロック解除が指令されて保持され、１０秒間のタイマーがセットされ、タイムアップか否かが確認される。なお、開放動作の指令が出されずＮＯの場合および車速が５ｋｍ／ｈ以下でない場合には、最初のステップに戻される。タイムアップになっていない場合、主カバー２のロック解除の指令が解除されたか否かが確認され、ＹＥＳであると、タイマーがリセットされ、主カバー２のロック解除指令が解除され、続いて主カバー２の開放が指令され保持される。１０秒間のタイマーがセットされ、タイムアップか否かが確認され、ＮＯの場合、主カバー２が閉鎖されたか否かが確認され、閉鎖された状態であると、タイマーがリセットされ、主カバー２の閉鎖指令が解除され、さらに主カバー２のロック挿入が指令され、保持される。１０秒間のタイマーがセットされ、タイムアップか否かが確認されＮＯであると、主カバー２のロックが挿入されたか否かが確認され、挿入されていると、主カバー２のロック解除の指令が解除されたか否かが確認され、ＹＥＳであると、タイマーがリセットされ、主カバー２のロック挿入指令が解除され、続いて補助カバー３の閉鎖が指令され保持される。１０秒間のタイマーがセットされ、タイムアップか否かが確認され、ＮＯの場合、補助カバー３が閉鎖されたか否かが確認され、閉鎖された状態であると、タイマーがリセットされ、補助カバー３の閉鎖指令が解除され、閉鎖完了となる。
【００３２】
このようにして、主カバー２と補助カバー３の開閉動作がそれぞれ制御フローによってコンピュータあるいはシーケンスにて制御される。
【００３３】
以上に本発明にかかるスノープラウカバー開閉装置１０の一実施例について説明したが、次のように実施することもできる。
【００３４】
・スノープラウの両側面が上方より見て直線状に近い場合、言い換えれば湾曲度合いが小さい場合には、主カバー２だけで構成することができ、また逆に湾曲度合いが大きい場合には、補助カバー３を一足面に２箇所用いることもできる。
【００３５】
・駆動用アクチュエータとしてエアシリンダ装置を用いているが、油圧シリンダ装置を使用することができる。
【００３６】
・スノープラウ上面５１ｂに、例えばリンクブラケット１１やロック用エアシリンダ装置１５の設置スペースが十分にない場合には、ベース２１などの支持板材を取り付けてその上に設置できる。
【図面の簡単な説明】
【００３７】
【図１】本発明の実施例にかかるスノープラウカバー開閉装置を備えた先頭車両の先端部分を示す側面図である。
【図２】本発明の実施例のスノープラウカバー開閉装置を示す斜視図で、カバーの閉鎖状態を表している。
【図３】本発明の実施例のスノープラウカバー開閉装置を示す図２と同様の斜視図で、カバーの開放状態を表す。
【図４】本発明の実施例にかかるスノープラウカバー開閉装置を示す平面図で、右半分を省略している。
【図５】（ａ）は図４のＡ−Ａ断面図、（ｂ）は図４のＢ−Ｂ断面図、（ｃ）は図４のＣ−Ｃ断面図、（ｄ）は図４のＤ−Ｄ断面図である。
【図６】（ｅ）は図４のＥ−Ｅ断面図、（ｆ）は図４のＦ−Ｆ断面図、（ｇ）は図４のＬ−Ｌ断面図、（ｈ）は図４のＭ−Ｍ断面図である。
【図７】（ａ）は図４のＧ−Ｇ断面図、（ｂ）は図４のＨ−Ｈ断面図、（ｃ）は図４のＪ−Ｊ断面図、（ｄ）は図４のＫ−Ｋ断面図である。
【図８】本発明の実施例にかかるスノープラウカバー開閉装置の空気圧回路図である。
【図９】スノープラウカバー開閉装置の制御フロー図で、カバー開放時を表している。
【図１０】スノープラウカバー開閉装置の制御フロー図で、カバー閉鎖時を表している。
【符号の説明】
【００３８】
１  先頭車両
１ａ車体台枠
１ｂ外殻
１ｃ合併カバー
２  主カバー
３  補助カバー
５  エアシリンダ装置
５ａピストンロッド
５ｂＹ字継手
６  ＬＭガイド
７  スライドブラケット
８  連結棒
９  ヒンジステー
１０  スノープラウカバー開閉装置
１１  リンクブラケット
１２  リンクアーム
１３・１４  ロックピン受け
１５  ロック用エアシリンダ装置
１６  ロックピン
２１  ベース（支持板材）
２２  ヒンジ部材
２３  吊りフレーム
２４  クレビスブラケット
２５  エアシリンダ装置
２７  先端金具
５１  スノープラウ
【図１】
2008239118.tif 000003
【図２】
2008239118.tif 000004
【図３】
2008239118.tif 000005
【図４】
2008239118.tif 000006
【図５】
2008239118.tif 000007
【図６】
2008239118.tif 000008
【図７】
2008239118.tif 000009
【図８】
2008239118.tif 000010
【図９】
2008239118.tif 000011
【図１０】
2008239118.tif 000012